【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
水処理システムにおいて、
水を受け入れる凝集容器入口、及び水を分配する凝集容器出口を有し、フロックが凝集後に沈降する底面を有する凝集容器と、
前記凝集容器に取り付けられ、水からフロック及び粒子をろ過し、フィルタ入口及びフィルタ出口を有するフィルタと、
前記凝集容器を通る水の流れを選択的に制御する弁を有する手動弁アセンブリであって、前記弁が、開弁位置と閉弁位置との間を手動により移動可能であり、前記フィルタ出口と前記弁が、前記弁から前記凝集容器出口への水流路を形成するように、前記開弁位置において流体連通しており、前記フィルタ出口と前記弁が、前記手動弁アセンブリから前記凝集容器出口への水流路を妨げるように、前記閉弁位置において流体連通していない前記手動弁アセンブリと、
を備え、
該水処理システムは、前記凝集容器出口を通る水の流速を制限する流れ制限口を有する、水処理システム。
【請求項２】
前記凝集容器出口が、最大１Ｌ／分の流速に水の流れを制限するように、前記流れ制限口を画定する、請求項１に記載の水処理システム。
【請求項３】
前記凝集容器内の前記フィルタ入口の位置が、所定量の凝集剤を含む水を満たした容器における沈降物の予想最大量に基づいて選択される、請求項１に記載の水処理システム。
【請求項４】
前記凝集容器内の前記フィルタ入口の位置が、蓄積された沈降物の除去を含む清浄サイクル間の凝集バッチの予想数に基づいて選択される、請求項１に記載の水処理システム。
【請求項５】
凝集状態視覚インジケータが、前記フィルタ入口に隣接して配置され、前記凝集容器の内部を見るユーザによる前記凝集状態視覚インジケータの視認性が、凝集時にフロックによって妨げられ、前記凝集状態視覚インジケータは、いったん凝集が実質的に完了し、フロックが前記フィルタ入口の下にある前記凝集容器の前記底面に沈降したときに、前記凝集容器を見るユーザによって視認可能である、請求項３に記載の水処理システム。
【請求項６】
前記手動弁アセンブリは、フィルタ支持体と連動する垂直方向可動部材を有し、ガスケットが、前記垂直方向可動部材の周囲に配置され、前記フィルタ支持体の口部に隣接して配置されて、前記開弁位置において、前記口部と前記フィルタ支持体の流れ制限口とが位置を合わせられ、前記閉弁位置において、前記ガスケットが、前記垂直方向可動部材の外面と前記フィルタ支持体の内面との間の水流路を封止する、請求項１に記載の水処理システム。
【請求項７】
前記手動弁アセンブリは回転軸を有し、該回転軸が、前記弁を前記開弁位置と前記閉弁位置との間で変化させるように回転可能である、請求項１に記載の水処理システム。
【請求項８】
前記凝集容器出口の径が約０．１６１インチ（４.０９ｍｍ）である、請求項１に記載の水処理システム。
【請求項９】
前記弁がボール弁アセンブリである、請求項１に記載の水処理システム。
【請求項１０】
前記弁は、ＥＰＤＭプラグを有する可動ロッドを有し、該可動ロッドが、前記ＥＰＤＭプラグが表面と接続して前記出口を通る水路を封止する第１の位置と、前記ＥＰＤＭプラグが前記表面から外れて前記凝集容器出口を通る水路を形成する第２の位置との間を移動可能である、請求項１に記載の水処理システム。
【請求項１１】
水処理システムにおいて、
容器であって、該容器内に水を受け入れる容器入口、及び前記容器から水を分配する容器出口を有する前記容器と、
前記容器出口と水が連通するように前記容器に取り付けられたフィルタ支持体アセンブリであって、フィルタ支持体入口を有する回転フィルタ支持体を有し、該回転フィルタ支持体が、交換可能なフィルタを受け入れるように構成され、前記フィルタ支持体入口は、前記交換可能なフィルタと水が連通するように構成された、前記フィルタ支持体アセンブリと、を備え、
前記回転フィルタ支持体が、フィルタ動作位置とフィルタメンテナンス位置との間を回転可能である、水処理システム。
【請求項１２】
前記フィルタ動作位置にある前記回転フィルタ支持体が、前記容器から前記フィルタ支持体アセンブリへの水流路を形成し、前記フィルタメンテナンス位置にある前記回転フィルタ支持体が、フィルタメンテナンス位置にある前記容器と前記容器出口との間を水が連通することを防止する、請求項１１に記載の水処理システム。
【請求項１３】
前記水処理システムが、動作のための最小水位を有し、前記フィルタ動作位置にある前記回転フィルタ支持体は、前記フィルタ支持体入口が前記最小水位を下回るように構成され、前記フィルタメンテナンス位置にある前記回転フィルタ支持体は、前記フィルタ支持体入口が前記最小水位を上回るように構成される、請求項１１に記載の水処理システム。
【請求項１４】
前記フィルタ支持体アセンブリは、生物層のために構成された交換可能なフォームフィルタを有する、請求項１１に記載の水処理システム。
【請求項１５】
前記フィルタ支持体アセンブリは、前記容器に取り付けられた剛性部材を有し、前記回転フィルタ支持体が、前記剛性部材に接続された回転アームである、請求項１１に記載の水処理システム。
【請求項１６】
前記フィルタ支持体アセンブリは、マニホールドと、交換可能なフィルタを受け入れるように構成されたフィルタ支持体をそれぞれ有する複数の回転フィルタ支持体と、を有し、前記回転フィルタ支持体がそれぞれ、フィルタ動作位置とフィルタメンテナンス位置との間を回転するように構成される、請求項１１に記載の水処理システム。
【請求項１７】
水処理システムにおいて、
容器であって、該容器内に水を受け入れる容器入口、及び前記容器から水を分配する容器出口を有する前記容器と、
前記容器出口と水が連通するように前記容器に取り付けられたフィルタ支持体アセンブリであって、交換可能なフィルタを受け入れるように構成されたフィルタ支持体と、前記容器入口からの水による前記交換可能なフィルタの撹乱を防止するシールドと、を有する前記フィルタ支持体アセンブリと、
を備える、水処理システム。
【請求項１８】
前記フィルタ支持体及び前記シールドが、フィルタ動作位置とフィルタメンテナンス位置との間を回転可能である、請求項１７に記載の水処理システム。
【請求項１９】
前記シールドが円筒状である、請求項１７に記載の水処理システム。
【請求項２０】
前記シールドが実質的にＣ字形であり、前記シールドはスナップ細部と、取り付け穴と、前記シールドを前記容器内及び前記フィルタ支持体に取り付けるタブを有する、請求項１７に記載の水処理システム。
【請求項２１】
前記フィルタ支持体アセンブリはシールド支持体を有し、前記シールドが前記シールド支持体に連結される、請求項１７に記載の水処理システム。
【請求項２２】
塩素処理システムにおいて、
水流路を形成する吸水口と、
前記水流路を制御するように前記水流路に配置された円錐状先端と、
前記水流路から塩素錠剤を保護するカプセルと、
を備え、
前記カプセルが、前記カプセルの少なくとも１つの側壁に沿って配置された複数の水平方向スロットを有することで、水が、前記カプセル内に配置された塩素錠剤と連通することができる、
塩素処理システム。
【請求項２３】
塩素と水との接触を調節するテフロン（登録商標）スクリーンを有する、請求項２２に記載の塩素処理システム。
【請求項２４】
塩素錠剤が崩壊することを防止する塩素錠剤トラップを有する、請求項２２に記載の塩素処理システム。
【請求項２５】
前記カプセルは、前記水流路に配置された凹状上面を有する、請求項２２に記載の塩素処理システム。
【請求項２６】
水処理システムにおいて、
容器であって、該容器内に水を受け入れる容器入口、及び前記容器から水を分配する容器出口を有する前記容器と、
端部キャップを有するカーボンフィルタアセンブリと、
前記容器に取り付けられたフレームであって、前記カーボンフィルタアセンブリの前記端部キャップを留めるとともに前記カーボンフィルタアセンブリの移動を制限するＵ字形開口部を有する前記フレームと、
を備える、水処理システム。
【請求項２７】
ポータブル水処理システムにおいて、
ポータブル形態と水処理システム形態との間で選択的に構成可能なスナップ嵌め蓋を備えた複数の入れ子及び積み重ね容器と、
前記ポータブル形態時に前記複数の入れ子及び積み重ね容器のうちの１つ以上に格納可能な複数の水処理システム構成部品と、
を備え、
前記複数の水処理システム構成部品が、前記水処理システム形態時に、前記複数の入れ子及び積み重ね容器のうちの１つ以上に着脱可能に取り付けることができる、
ポータブル水処理システム。
【請求項２８】
前記複数の入れ子及び積み重ね容器は、前記複数の水処理システム構成部品を取り付ける複数の口部を有する、請求項２７に記載のポータブル水処理システム。
【請求項２９】
前記複数の入れ子及び積み重ね容器は、１つ以上の水処理システム構成部品インターフェイスを有しており、
前記水処理システム構成部品インターフェイスは、前記ポータブル形態時に複数の容器の入れ子になることを妨げない、請求項２７に記載のポータブル水処理システム。
【請求項３０】
前記複数の水処理システム構成部品がそれぞれ、前記１つ以上の水処理システム構成部品インターフェイスに着脱可能に取り付けられる、請求項２９に記載のポータブル水処理システム。
【請求項３１】
凝集方法であって、
水を有した凝集室に第１の凝集剤を加えるステップと、
前記第１の凝集剤と水とを前記凝集室内で混合するステップと、
フロックが形成し始めるのを、所定の遅延時間、待機するステップと、
前記所定の遅延時間の後に、フロックの形成を促進するために第２の凝集剤を水に加えるステップと、
水と前記第１の凝集剤と前記第２の凝集剤とを前記凝集室内で混合するステップと、
フロックが凝集室の底に十分に沈降するのを待機するステップと、
を含む、凝集方法。
【請求項３２】
前記第１の凝集剤と水とを前記凝集室内で混合するステップは、約１分間混合するステップを含む、請求項３１に記載の凝集方法。
【請求項３３】
前記所定の遅延時間が少なくとも１５秒である、請求項３１に記載の凝集方法。
【請求項３４】
前記所定の遅延時間が１５秒から５分である、請求項３１に記載の凝集方法。
【請求項３５】
前記第１の凝集剤と前記第２の凝集剤と水とを前記凝集室内で混合するステップは、約１分間混合するステップを含む、請求項３１に記載の凝集方法。
【請求項３６】
前記フロックが前記凝集室の底に十分に沈降するのを待機するステップは、１０分から２時間待機するステップを含む、請求項３１に記載の凝集方法。
【請求項３７】
水処理システムにおいて、
未処理水を受け入れる入口、及び塩素処理水を分配する出口を有する第１の容器と、
前記第１の容器から塩素処理水を受け入れる入口を有し、生物群集が発泡体部分上又は該発泡体部分内に形成されるように構成された前記発泡体部分を有するフィルタを有する第２の容器と、
前記第２の容器から、処理された水を分配するディスペンサーと、
を備える、水処理システム。
【請求項３８】
前記第１の容器から前記第２の容器への水の流れを制御する手動ボール弁アセンブリ
を有する、請求項３７に記載の水処理システム。
【請求項３９】
前記第１の容器から前記第２の容器への水の流れを制御し、ＥＰＤＭプラグを有する可動ロッドを有する手動ボール弁アセンブリを有し、
前記可動ロッドが、前記ＥＰＤＭプラグが表面と接続して前記第１の容器の水槽と前記第２の容器との間の水路を封止する第１の位置と、前記ＥＰＤＭプラグが前記表面から外れて前記第１の容器の水槽と前記第２の容器との間に水路を形成する第２の位置との間を移動可能である、請求項３７に記載の水処理システム。
【請求項４０】
２つの部分からなるフィルタを保護する一体型のＣ字形シールドを有する、請求項３７に記載の水処理システム。
【請求項４１】
前記フィルタは、前記発泡体の周りにカーボンスリーブを有し、該カーボンスリーブが、水から残留塩素を除去して、前記発泡体部分上又は前記発泡体部分内に形成される生物群集の撹乱を防止する、請求項３８に記載の水処理システム。